(57)【要約】      （修正有）【課題】場所を問わず直ちに準備可能であり、また、そのまま葬儀場や火葬場に遺体を搬送できる移動式霊安室を提供する。【解決手段】トラックの荷台３を霊安室として使用する移動式霊安室１であって、上記トラックは上記荷台が箱型のボディを有し、上記荷台の一方の側面には略全面が開閉する開閉扉５，６を有し、後方にも開閉扉を有することを特徴とするものである。特に、上記荷台の内部は、ベッドと御棺とを横に並べて設置できる大きさのスペースを有している。【選択図】図１
0003188221.tif 000002
【実用新案登録請求の範囲】
【請求項１】
トラックの荷台を霊安室として使用する移動式霊安室であって、
上記荷台は箱型であり、
上記荷台の一方の側面に略全面が開閉する開閉扉を有し、
上記荷台の後方に開閉扉を有する
ことを特徴とする移動式霊安室。
【請求項２】
上記荷台内部は、ベッドと御棺を横に並べて配置できる大きさのスペースを有する
ことを特徴とする請求項１に記載の移動式霊安室。
【請求項３】
上記荷台内部には、ベッドを固定する固定機構が設けられている
ことを特徴とする請求項１または請求項２に記載の移動式霊安室。
【請求項４】
上記荷台内部には、御棺を固定する固定機構が設けられている
ことを特徴とする請求項１から請求項３のいずれかに記載の移動式霊安室。
【請求項５】
上記荷台の後方及び一方の側面に設けられた上記開閉扉にはカーテンが設けられている
ことを特徴とする請求項１から請求項４のいずれかに記載の移動式霊安室。
【請求項６】
上記荷台内部には、
枕飾りと、
当該枕飾りを荷台壁面に固定するための固定機構と、
が設けられている
ことを特徴とする請求項１から請求項５のいずれかに記載の移動式霊安室。
【考案の詳細な説明】
【技術分野】
【０００１】
本考案は、移動可能な霊安室に関するものであり、霊安室として使用できるとともに、簡易の葬儀式場としても利用可能な霊安室に関するものである。
【背景技術】
【０００２】
昨今の医療機関の実態においては、霊安室を備えていなかったり、霊安室があっても諸事情により確保できない場合も多い。そのため、患者が臨終後、病院内の霊安室に移動されることはあまりなく、すぐに寝台車の手配を行うケースがほとんどである。
【０００３】
また、老人ホームやデイケアホーム等の老人用施設に関しても同様であり、霊安室を設けている施設は少ない。
したがって、通常は病院等から一旦、自宅に遺体を搬送し、葬儀社を決めた後に葬儀会館に遺体を搬送する場合が多い。さらに、火葬場に遺体を搬送するので、遺体の搬送費用はかなり高額なものになっていた。
【０００４】
そこで、より安価な遺体搬送を目的として、標準的なパネルバン型軽自動車において、助手席を運転席の後方に設け、これにより運転席の横に得られるスペースを標準的な貨物スペースと併せて遺体安置スペースとして利用する霊柩車が提案されている（例えば、特許文献１）。
【先行技術文献】
【特許文献】
【０００５】
【特許文献１】特開２０００−５２４６号
【考案の概要】
【考案が解決しようとする課題】
【０００６】
団地等の集合住宅に限らず、最近は一軒家でも、構造上、自宅での安置が出来ない場合が多い。この場合、臨終後すぐに葬儀社を決めないといけないので、慌ただしい中で、納得した葬儀社の選定が行えないことがあった。
そこで、一時的な霊安室が必要であるものの、病院等の医療機関や老人ホーム等では、そのスペースを確保するのが困難な状況である。
【０００７】
また、特許文献１に開示された霊柩車は、霊柩車として使用することが可能であっても、霊安室としては適当ではない。家族や知人が故人と対面するのに適当な場所ではないからである。さらに、狭い貨物スペースに遺体を安置することは、家族の気持ちとしても納得できないものがある。
【０００８】
なお、最近では、通夜や告別式などの宗教儀式を行わない、火葬のみの葬儀形態である直葬も行われているが、臨終後２４時間以内に火葬することは法律で禁止されているため、直葬の場合であっても必ず霊安室の確保が必要である。
【課題を解決するための手段】
【０００９】
本考案の請求項１に係る移動式霊安室は、トラックの荷台を霊安室として使用する移動式霊安室であって、上記荷台は箱型であり、上記荷台の一方の側方に略側面全面が開閉する開閉扉を有し、上記荷台の後方に開閉扉を有することを特徴とする。
【００１０】
本考案の請求項２に係る移動式霊安室は、上記荷台内部が、ベッドと御棺を横に並べて配置できる大きさのスペースを有することを特徴とする。
【００１１】
本考案の請求項３に係る移動式霊安室は、上記荷台内部に、ベッドを固定する固定機構が設けられていることを特徴とする。
【００１２】
本考案の請求項４に係る移動式霊安室は、上記荷台内部に、御棺を固定する固定機構が設けられていることを特徴とする。
【００１３】
本考案の請求項５に係る移動式霊安室は、上記荷台の後方及び一方の側方の開閉扉にカーテンが設けられていることを特徴とする。
【００１４】
本考案の請求項６に係る移動式霊安室は、上記荷台内部に枕飾りと、当該枕飾りを荷台壁面に固定するための固定機構とが設けられていることを特徴とする。
【考案の効果】
【００１５】
本考案に係る移動式霊安室は上記のように構成されるため、霊安室を備えていない医療施設や老人ホーム等において人が亡くなった場合でも、直ぐに霊安室を用意することができるので、葬儀場の選定を急いで行うことが必要では無く、納得できる葬儀場を選定できる。また、そのまま葬儀場へ遺体を搬送できるので、費用面でも大きなメリットがある。
【００１６】
さらに、移動式霊安室内において、遺体を納棺するために充分なスペースがあるので、そのまま火葬場へ納棺した遺体を搬送することも可能である。
また、遺体を納棺後にベッドを取り除けば、小さな葬儀式場としても利用することが可能であり、場所を問わずに葬儀を行うことができる。
【図面の簡単な説明】
【００１７】
【図１】本考案に係る移動式霊安室の側面図である。
【図２】本考案に係る移動式霊安室の後方図である。
【図３】本考案に係る移動式霊安室の荷台の見取り図である。
【考案を実施するための形態】
【００１８】
本考案に係る移動式霊安室の構成等に関して、以下において、図面を用いて説明する。なお、以下の説明は本考案に関する良好な一例を開示するものであり、本考案が当該実施の形態に限定されるものではない。例えば、本実施の形態において開示する考案品の重量や寸法等は、良好な一例を示すに過ぎず、その他の可能性を否定するものでは無い。
【００１９】
実施の形態．
図１から図３は、移動式霊安室の構成を説明するための図である。図１は側面図、図２は後方図、そして図３は荷台内部の見取り図である。
移動式霊安室１は、トラックを改良したものであり、本実施の形態においては、積載量２トンのトラックを用いている。
【００２０】
移動式霊安室１は、運転席２と荷台３からなる。
運転席２は、通常のトラックの運転席と同様である。
また、荷台３は、例えばアルミ製の箱型であり、いわゆるバンボディである。
【００２１】
この荷台３の一方の側面は、図１に示すように側面のほぼ全面が開閉可能になっている。すなわち、側面の上部に設けられた側部上開閉扉５と、下部に設けられた側部下開閉扉６が、それぞれ上下に開け閉めできるようになっている。図１は、側部上開閉扉５と側部下開閉扉６を開けた状態を示している。
【００２２】
なお、側面の開閉機構は、この機構に限らず、側面パネルを着脱することで開閉できるようにしても良いし、ウイングボディのように、側面を鳥の羽のように開閉できる機構であっても良い。
【００２３】
側部上開閉扉５と側部下開閉扉６を開けることによって、荷台３の一方の側面は、側部出入口４となる。この側部出入口４の上部には、収納式のルーフ７、および遮光のためのカーテン８が設けられている。
なお、カーテンの外側に、ガラス扉を設けても良い。例えば、横に開閉可能な４枚扉を設けても良い。
【００２４】
荷台３の後方には、図２に示すように、後部開閉扉１１によって開閉可能な後部出入口９が設けられている。この後部出入口９にも遮光のためのカーテン１０が設けられている。
なお、後部出入口９は高い位置にあるため、図３に示すように、タラップ１２を取付けることで、人が容易に出入りすることができる。
【００２５】
この図３は、荷台３の内部を示す見取り図である。内部には、ベッド１３や枕飾り１４が配置される。
ベッド１３は、遺体を安置するために設けられている。
【００２６】
また、枕飾り１４は、線香やローソクを置くための供物台である。枕飾り１４は、霊安室として使用するときには、図３で実線で示すように遺体の枕元に移動させて供物台として使用し、移動中には、点線で示すように、荷台の壁面に接して置けるように、移動可能になっている。
【００２７】
さらに、移動時にベッド１３や枕飾り１４が動かないように、荷台３には固定機構が設けられている。固定機構は、荷台３内部の床面や内壁面に固定されたベルトであっても良いし、ベッド１３や枕飾り１４の脚等を嵌めこんで固定できる荷台３内部の床面等に設けられた凹凸であっても良い。
【００２８】
図３において、ベッド１３の左側には御棺を設置するに十分なスペースがあり、荷台３内に置いて、遺体を納棺することが可能である。なお、御棺は後部出入口９あるいは側部出入口４から搬入および搬出することができる。また、移動中に御棺が動かないようにするための固定機構が荷台３内部の床面等に設けられている。この機構は、ベッド１３の固定機構と同様の機構である。
【００２９】
また、この御棺を設置できるスペースは、遺体安置時には、家族等が遺体に面会するためのスペースとなる。
なお、荷台３内には、必要に応じて、簡易トイレを設置しても良い。また、遺体の安置状態を保つために、エアーコンディショナーを設けても良い。
【００３０】
本考案は上記のように構成されているので、以下に示す多くの優れた特長を有している。
まず、第１に、移動可能な霊安室であるため、駐車スペースさえあれば、どこにでも直ちに設置可能である。故人が亡くなった医療機関の傍に設置することもできるし、自宅近くの駐車スペースに設置することも可能である。あるいは、老人ホーム等の駐車場に設置することも可能であり、故人に最後の面会をしたい人の利便を考慮した場所に設置できるというメリットもある。
また、霊安室をすぐに確保できることで、葬儀場の選択を時間的余裕を持って行うことができるため、参列者の利便性、葬儀費用、およびサービス面を十分に考慮して葬儀場を選定できる。
【００３１】
第２に、霊安室として使用後は、葬儀場へ、そのまま遺体を搬送できる。移動時には、ベッドや枕飾りを固定機構を用いて、荷台内部に固定できるため、移動時にベッド等が動く心配は無い。
【００３２】
第３に、ベッドの横に並べて、御棺を置くスペースがあるため、荷台内に置いて納棺ができる。
例えば、直葬を行う場合には、霊安室として使用後に、御棺に納棺し、そのまま火葬場に搬送できるので、費用面で安価となる。
【００３３】
第４に、一方の側面が大きく開閉できるので、小さな葬儀式場としての利用もできる。葬儀式場として利用する場合には、ベッドを外部に搬出した後に、荷台内の適切な場所に御棺を設置し、その周りに生花祭壇を設ければよい。
このように簡易な葬儀式場を簡単に設けることができるので、葬儀場で葬儀式を行う場合に比べて、費用面で有利である。
また、駐車スペースさえあれば場所を選ばないため、参列者の利便性を考慮した場所で葬儀式を行うことができる。
【００３４】
第５に、故人が亡くなった医療機関等へのお迎えから、霊安室としての利用、納棺、葬儀式場としての利用、および火葬場まで御棺を搬送する霊柩車としての利用まで、すべてを１台でカバーできるため、利便性が向上するとともに、費用の大幅な削減が可能となる。
【符号の説明】
【００３５】
１  移動式霊安室
２  運転席
３  荷台
４  側部出入口
５  側部上開閉扉
６  側部下開閉扉
７  収納式ルーフ
８  カーテン
９  後部出入口
１０  カーテン
１１  後部開閉扉
１２  タラップ
１３  ベッド
１４  枕飾り
【図１】
0003188221.tif 000003
【図２】
0003188221.tif 000004
【図３】
0003188221.tif 000005